(57)【要約】  【課題】照明器具を利用して電源を確保でき、任意の場所において不審者や侵入者を検知して警報を発することができる防犯装置を提供する。  【解決手段】防犯装置はＬＥＤ灯１０、異常検知センサー３１及び制御装置３０から構成される。ＬＥＤ灯は照明灯ランプ管５０又は照明灯リフレクタ５１に着脱可能に取付けられる携帯可能なケース１１と、照明灯の光を受光して発電するソーラパネル１３と、充電池又はコンデンサ２１を電源として点灯するＬＥＤ１４と、ソーラパネルの起電力を電源として充電池又はコンデンサ２１を充電し、充電池又はコンデンサからＬＥＤに通電させてＬＥＤを点灯させる制御回路２０とを備えて構成され；異常検知センサーは設定された領域内における異常を検知し；制御装置は照明灯が消灯したときにＬＥＤを所定時間だけ点灯させ、ＬＥＤの時限点灯後の消灯中に異常検知センサーの信号を受けたときにＬＥＤを点灯又は点滅させる。【選択図】図４
2015173086.tif 000002
【特許請求の範囲】
【請求項１】
照明灯の点灯時に照明灯の光を受けて充電し、充電後には任意の場所に設置して異常検知時にＬＥＤを点灯又は点滅させるようにした防犯装置であって、
ＬＥＤ灯（１０）、該ＬＥＤ灯（１０）に搭載された異常検知センサー（３１）及び制御装置（３０）から構成され；
上記ＬＥＤ灯（１０）は、２本のアーム部（１２）で照明灯ランプ管（５０）を着脱可能に挟持させるか、２本のアーム部（１２）の先端部分を相互に着脱可能に係合させて該２本のアーム部（１２）を照明灯ランプ管（５０）に抱きつかせるか、ケースに着脱可能な抱持片（１２’）を照明灯ランプ管（５０）に抱きつかせるか、あるいは照明灯リフレクタ（５１）に着脱可能に磁着されることによって、照明灯ランプ管（５０）又は照明灯リフレクタ（５１）に着脱可能に取付けられる携帯可能なケース（１１）と、該ケース（１１）に照明灯ランプ管（５０）に対面するように設けられ、照明灯の光を受光して発電するソーラパネル（１３）と、上記ケース（１１）に設けられ、充電された充電池又はコンデンサ（２１）を電源として点灯するＬＥＤ（１４）と、上記ケース（１１）に内蔵され、上記ソーラパネル（１３）の起電力を電源として充電池又はコンデンサ（２１）を充電する一方、上記充電池又はコンデンサ（２１）から上記ＬＥＤ（１４）に通電させて上記ＬＥＤ（１４）を点灯させる制御回路（２０）とを備えて構成され；
上記異常検知センサー（３１）は、上記ケース（１１）に設けられ、設定された領域内における異常を検知し；  及び
上記制御装置（３０）は、照明灯が消灯したときに上記ＬＥＤ（１４）を所定時間だけ点灯させ、上記ＬＥＤ（１４）の時限点灯後の消灯中に上記異常検知センサー（３１）の信号を受けたときに上記ＬＥＤ（１４）を点灯又は点滅させるように構成されていることを特徴とする防犯装置。
【請求項２】
上記ＬＥＤ（１４）とグラウンドとの間にスイッチング素子（３７）が接続され、該スイッチング素子（３７）のＯＮ・ＯＦＦによってＬＥＤ（１４）が点滅されるようになっている請求項１記載の防犯装置。
【請求項３】
上記異常検知センサー（３１）が、人間の存在、異常音、出火あるいは地震を検知するセンサーである請求項１記載の防犯装置。
【請求項４】
警報音を発生する警報発生装置（３２、３３）及び所定の外部通信装置に異常を通信する通信装置（３５）の少なくとも一方をさらに備え、上記制御装置（３０）が上記異常検知センサー（３１）の信号を受けたときに、警報発生装置（３２、３３）及び／又は通信装置（３５）を作動させるようになっている請求項１記載の防犯装置。
【請求項５】
上記制御装置（３０）は、照明灯が消灯したときに上記ＬＥＤ（１４）を充電池又はコンデンサ（２１）の放電定数によって決まる時間だけ時限点灯させる非常灯機能をさらに備え、上記ＬＥＤ（１４）の時限点灯後の消灯中に上記異常検知センサー（３１）の信号を受けたときに上記ＬＥＤ（１４）を点灯又は点滅させる防犯機能と上記非常灯機能とがスイッチ操作によって切り換えられるようになっている請求項１記載の防犯装置。
【発明の詳細な説明】
【技術分野】
【０００１】
本発明は防犯装置に関し、特に照明器具を利用して電源を確保でき、任意の場所において不審者や侵入者を検知して警報を発することができるようにした装置に関する。
【背景技術】
【０００２】
住宅などの建造物には不審者や侵入者を検知して警報を発する防犯装置を設置することがよく行われる。例えば、周囲の明るさを検知する光センサーと人体の存在を検知する人感センサーとを備え、夜間等において人間が近づくとそれを検知して照明灯を点灯させ、人間が離れると照明灯を自動消灯するようにした防犯装置が知られている（特許文献１、特許文献２）。
【先行技術文献】
【特許文献】
【０００３】
【特許文献１】特開２００９−８０５２４号公報
【特許文献２】特開２００４−３５５３９０号公報
【発明の開示】
【発明が解決しようとする課題】
【０００４】
しかし、特許文献１、２記載の防犯装置では電源を確保できない場所には電線を引き回し、あるいはソーラパネルを設置するなどして電源を確保する必要があり、装置を玄関先や庭などに一旦設置すると、装置を移設するのが煩わしい。
【０００５】
本発明はかかる問題点に鑑み、照明器具を利用して電源を確保でき、任意の場所において不審者や侵入者を検知して警報を発することができるようにした防犯装置を提供することを課題とする。
【課題を解決するための手段】
【０００６】
そこで、本発明に係る防犯装置は、照明灯の点灯時に照明灯の光を受けて充電し、充電後には任意の場所に設置して異常時にＬＥＤを点灯又は点滅させるようにした防犯装置であって、ＬＥＤ灯、該ＬＥＤ灯に搭載された異常検知センサー及び制御装置から構成され、上記ＬＥＤ灯は、２本のアーム部で照明灯ランプ管を着脱可能に挟持させるか、２本のアーム部の先端部分を相互に着脱可能に係合させて該２本のアーム部を照明灯ランプ管に抱きつかせるか、ケースに着脱可能な抱持片を照明灯ランプ管に抱きつかせるか、あるいは照明灯リフレクタに着脱可能に磁着されることによって、照明灯ランプ管又は照明灯リフレクタに着脱可能に取付けられる携帯可能なケースと、該ケースに照明灯ランプ管に対面するように設けられ、照明灯の光を受光して発電するソーラパネルと、上記ケースに設けられ、充電された充電池又はコンデンサを電源として点灯するＬＥＤと、上記ケースに内蔵され、上記ソーラパネルの起電力を電源として充電池又はコンデンサを充電する一方、上記充電池又はコンデンサから上記ＬＥＤに通電させて上記ＬＥＤを点灯させる制御回路とを備えて構成され；  上記異常検知センサーは上記ケースに設けられ、設定された領域内における異常を検知し；  及び上記制御装置は照明灯が消灯したときに上記ＬＥＤを所定時間だけ点灯させ、上記ＬＥＤの点灯後の消灯中に上記異常検知センサーの信号を受けたときに上記ＬＥＤを点灯又は点滅させるように構成されていることを特徴とする。
【０００７】
本発明の特徴の１つはケースに取付けられた２本のアーム部で照明灯ランプ管を着脱可能に挟持させるか、２本のアーム部の先端部分を相互に着脱可能に係合させて照明灯ランプ管に抱きつかせるか、ケースに着脱可能な抱持片を照明灯ランプ管に抱きつかせるか、あるいは照明灯リフレクタに着脱可能に磁着することによって、防犯装置を構成するＬＥＤ灯を照明灯ランプ管や照明灯リフレクタに着脱自在に取付けるようにした点にある。
【０００８】
これにより、防犯装置を照明灯ランプ管に吊り下げ、リフレクタに磁着することによって、照明器具の所望の箇所に簡単に設置して電源を確保して充電することができる。
【０００９】
また、アーム部や抱持片を照明灯ランプ管から取り外すか、照明灯リフレクタへの磁着を外すことによって、防犯装置のＬＥＤ灯を簡単に取り外して時限点灯させながら持ち運ぶことができるので、防犯装置を所望の場所、例えば車両の中、倉庫、玄関先、庭などに防犯装置をセットすることができる。
【００１０】
また、時限点灯後の消灯中に異常を検知すると、ＬＥＤが点灯又は点滅するので、不審者や侵入者を驚かせて撃退することができ、又住人には不審者や侵入者の存在、窓ガラスの割れなどの異常音、地震、火事などの異常を通知することができ、防犯機能を実現できる。勿論、防犯装置をそのまま照明灯ランプ管や照明灯リフレクタにセットしておき、部屋の防犯を行うこともできる。
【００１１】
人間の存在は例えば公知の人感センサー、異常音は公知の音センサー、地震は加速度センサーなどの公知の地震センサー、出火は公知の温度センサーや煙センサーによって検知することができ、いずれも公知のセンサーを用いることができる。
【００１２】
また、ＬＥＤの点滅は例えばＬＥＤを人間の視認できるデューティ比でもってデューティ制御することによって点滅させるようにしてもよく、又ＬＥＤとグラウンドとの間にスイッチング素子を接続し、スイッチング素子を人間の視認できる時間幅でもってＯＮ・ＯＦＦすることによってＬＥＤを点滅させることもできる。
【００１３】
また、本発明の１つの特徴はＬＥＤ灯を活用して異常時にＬＥＤを点灯又は点滅させることによって周囲に異常を通知するようにした点にあるが、さらに警報音を発生する警報発生装置及び所定の端末に異常を通信する通信装置の少なくとも一方をさらに備え、制御装置が異常検知センサーの信号を受けたときに、警報発生装置及び／又は通信装置を作動させ、周囲により確実に異常を通知するようにすることもできる。
【００１４】
また、アーム部や抱持片を照明灯ランプ管から取り外すか、照明灯リフレクタへの磁着を外すことによって、ＬＥＤ灯を簡単に取り外して時限点灯させながら持ち運ぶことができるので、非常灯や誘導灯として使用することもできる。
【００１５】
さらに、制御装置に照明灯が消灯したときにＬＥＤを充電池又はコンデンサの放電定数によって決まる時間だけ時限点灯させる非常灯機能をさらに設け、ＬＥＤの時限点灯後の消灯中に異常検知センサーの信号を受けたときにＬＥＤを点灯又は点滅させる防犯機能と非常灯機能とをスイッチ操作によって切り換えられるように構成することができる。
【図面の簡単な説明】
【００１６】
【図１】本発明に係る防犯装置の実施形態を示す概略斜視図である。
【図２】上記実施形態を示す底面図である。
【図３】上記実施形態の蛍光灯ランプ管への取付け状態を示す概略斜視図である。
【図４】上記実施形態における回路構成例を示す図である。
【図５】第２の実施形態を示す概略斜視図である。
【図６】第３の実施形態を示す要部斜視図である。
【図７】上記実施形態を示す分解斜視図である。
【図８】第４の実施形態を示す概略斜視図である。
【図９】上記実施形態の蛍光灯リフレクタへの取付け状態を示す概略図である。
【発明を実施するための形態】
【００１７】
以下、本発明を図面に示す具体例に基づいて詳細に説明する。図１ないし図４は本発明に係る防犯装置の第１の実施形態を示す。本例の防犯装置にはＬＥＤ灯１０が設けられ、ＬＥＤ灯１０では円筒状のケース１１の側壁面に半筒状の取付け部１１Ａが１８０°の角度間隔をあけて形成され、取付け部１１Ａには２本のアーム片１２が差し込まれて例えば下端の大径部分によって抜け止めされ、アーム片１２は軟質の合成樹脂材料で製作されて可撓性を有し、一方のアーム片１２の先端部には筒状の連結部材１２Ａが固定され、連結部材１２Ａに他方のアーム片１２の先端部分が抜き差し可能に差し込まれて、２本のアーム片１２の先端部分が相互に着脱可能に係合されるようになっている。
【００１８】
また、ケース１１の頂面にはソーラパネル１３が設けられ、ケース１１の底面にはＬＥＤ１４が設けられ、ケース１１内にはソーラパネル１３の起電力を電源としてスーパーキャパシタ２１を充電する一方、例えば商用電源から照明灯、例えば蛍光灯への通電が遮断されたことを検知してＬＥＤ１４を点灯させる制御回路２０、及びスーパーキャパシタ２１の充電電圧を基準電圧と比較して充電電圧が基準電圧に達したときにスーパーキャパシタ２１への充電を停止させる充電制御回路２２が内蔵されている。
【００１９】
ここで、図４は制御回路２０及び充電制御回路２２の回路構成例を示す。図において、２１は相互に並列に接続され、ソーラパネル１３によって充電されるスーパーキャパシタ、２０Ａはスーパーキャパシタ２１の充放電を切り換えるフォトトランジスタ、２０Ｂは抵抗、２０Ｃはゲートがフォトトランジスタ２０Ａのコレクタと抵抗２０Ｂとの接続点に接続されたＮ型ＭＯＳＦＥＴ（以下、「Ｎ型ＦＥＴ」という）、２０Ｄは抵抗である。
【００２０】
また、２０Ｅは２次側出力端子ＯＵＴの出力信号をＯＮ・ＯＦＦ制御する機能を有するとともに、ＣＥ入力端子が抵抗２０ＤとＮ型ＦＥＴ２０Ｃのドレインとの接続点に接続され、ＦＢ端子を一定電圧に保持する機能を有する昇圧型ＤＣ／ＤＣコンバータ、２０Ｆはコイル、２０Ｈは整流ダイオード、２０Ｇはゲートが昇圧型ＤＣ／ＤＣコンバータ２０Ｅの２次側出力端子ＯＵＴに接続されたＮ型ＦＥＴであり、以上のようにして制御回路２０が構成されている。
【００２１】
さらに、２２Ａはスーパーキャパシタ２１とグラウンドとの間に接続されたトランジスタ、２２Ｂはスーパーキャパシタ２１の充電電圧を基準電圧と比較してトランジスタ２２ＡをＯＮ・ＯＦＦする比較回路であり、以上のようにして充電制御回路２２が構成されている。
【００２２】
また、３０はフォトセンサー３８及び異常検知センサー３１の信号を入力とし、照明灯が消灯したときにＬＥＤ１４を所定時間だけ時限点灯させ、ＬＥＤ１４の点灯後の消灯中に異常検知センサー３１の信号（異常検知の信号）を受けたときにＬＥＤ１４を点灯又は点滅させる制御装置であり、制御装置３０の信号Ｓはパルス幅変調回路（ＰＷＭ）３６に入力され、ＬＥＤ１４のカソード側の抵抗２０Ｋとグラウンドとの間に接続されたトランジスタ３７を一定時間ＯＮにし、その後の消灯中に異常検知センサー３１の信号を受けたときにトランジスタ３７を所定のデューティ比でＯＮ・ＯＦＦさせてＬＥＤ１４を視認可能に点滅させるようになっている。
【００２３】
また、制御装置３０は照明灯の消灯時にＬＥＤ１４をスーパーキャパシタ２１の放電時定数によって決まる時間だけＬＥＤ１４を時限点灯させるようにトランジスタ３７をＯＮさせる非常灯機能を有し、この非常灯機能と前述の防犯機能とをスイッチ５２の操作によって切り換えられるようになっている。
【００２４】
ここで、異常検知センサー２１には人間の存在を検知する人感センサー、異常音を検知する音センサー、地震を検知する地震センサー、火災を検知する温度センサーなどを用いて構成する。
【００２５】
さらに、３２は制御装置３０の信号を受け、異常検知時にスピーカー３３に警報音を発生させる駆動回路、３５は制御装置３０の信号を受け、異常検知時に所定の通信装置、例えば警備会社の通信装置に警報信号を送信して異常を通報する通信回路である。
【００２６】
次に、動作について説明する。照明灯が点灯してる場合にはフォトトランジスタ２０Ａが照明灯の光を受光してＯＮとなり、Ｎ型ＦＥＴ２０ＣはＯＮとなっている。すると、昇圧型ＤＣ／ＤＣコンバータ２０ＥのＣＥ入力端子の状態は“Ｌ”、２次側出力端子ＯＵＴの状態は“Ｌ”であり、Ｎ型ＦＥＴ２０ＧはＯＦＦとなっており、ＬＥＤ１４は通電されないので発光せず、スーパーキャパシタ２１はソーラパネル１３によって充電される。
【００２７】
照明灯が消灯すると、フォトトランジスタ２０Ａは照明灯の光を受光しなくなるので、ＯＦＦとなり、Ｎ型ＦＥＴ２０ＣはＯＦＦとなり、昇圧型ＤＣ／ＤＣコンバータ２０ＥのＣＥ入力端子の状態は“Ｈ”となる。すると、昇圧型ＤＣ／ＤＣコンバータ２０Ｅの２次側出力端子ＯＵＴには“Ｈ”と“Ｌ”の信号が繰り返し出力され、Ｎ型ＦＥＴ２０ＧもＯＮ・ＯＦＦを繰り返し、Ｎ型ＦＥＴ２０ＧがＯＮからＯＦＦに立ち下がった時にコイル２０Ｆには所定の高電圧が誘起され、整流ダイオード２０Ｈを経てＬＥＤ１４のアノードに電圧が印加されるとともに、ＬＥＤ１４に並列に接続されたコンデンサが充電され、コイル２０Ｆの誘起電圧が減衰すると、並列コンデンサからＬＥＤ１４のアノードに電圧が印加される。
【００２８】
また、制御装置３０はフォトセンサー３８及び異常検知センサー３１の信号を入力としており、照明灯が消灯すると、制御装置３０はパルス幅変調回路３６に継続してＯＮとなる制御信号Ｓを一定時間だけ与え、パルス幅変調回路３６はトランジスタ３７を一定時間だけＯＮさせる。このとき、昇圧型ＤＣ／ＤＣコンバータ２０ＥはＦＢ端子が一定電圧を保持するように制御するので、ＬＥＤ１４には抵抗２０Ｋによって決まる電流が流れて発光する。
【００２９】
ＬＥＤ１４が一定時間点灯すると、パルス幅変調回路３６はトランジスタ３７をＯＦＦとするので、ＬＥＤ１４は消灯する。
【００３０】
ＬＥＤ１４の時限点灯後の消灯中に、異常検知センサー３１が不審者や侵入者の存在を検知し、窓ガラスの割れる音などの異常音を検知し、地震の発生を検知し、及び／又は出火を検知すると、制御装置３０は異常検知センサー３１の信号を受け、パルス幅変調回路３６に異常検知の信号Ｓを与え、パルス幅変調回路３６は所定のデューティ比でトランジスタ２０ＫをＯＮ・ＯＦＦさせ、これによってＬＥＤ１４が視認可能に点滅するので、不審者や侵入者を驚かせて撃退することができ、又住人は不審者や侵入者の存在、異常音、地震、火事を知ることができ、適切な対策をとることができる。
【００３１】
また、制御装置３０は異常検知センサー３１の信号を受けると、駆動回路３２に信号を与え、スピーカー３３に警報音を発生させるので、住人は不審者や侵入者の存在、異常音、火事を知ることができ、適切な対策をとることができる。また、制御装置３０は通信回路３５に信号を与え、所定の通信装置、例えば警備会社の通信装置に警報信号を送信して異常を通報するので、警備会社が迅速に対処することが可能となる。
【００３２】
また、本例の防犯装置はアーム片１２を照明灯から簡単に取り外して、一定時間だけ点灯させながら持ち運ぶことができるので、防犯装置を所望の場所、例えば車両の中、倉庫、玄関先、庭などにもセットして防犯することができる。
【００３３】
他方、制御装置３０はスイッチ５２の操作によって非常灯として機能させることができ、制御装置３０は照明灯が消灯されると、パルス変調回路３６に常時ＯＮの信号を出力させ、ＬＥＤ１４にはスーパーキャパシタ２１の放電時定数によって決まる時間だけ電流が流れて時限点灯させることができる。
【００３４】
図５は第２の実施形態を示し、図において図１ないし図３と同一符号は同一又は相当部分を示す。本例では２本のアーム片１２の下端部がケース１１の両側面のブラケットに揺動自在に枢支され、２本のアーム片１２はその基部１２Ｃにおいてコイルばね（図示せず）によって相互に接近する方向に揺動付勢され、アーム片１２の先端部には円弧状の挟持片１２Ｂが設けられ、照明灯ランプ管５０を挟持できるようになっている。このように、アーム片１２で照明灯ランプ管５０を着脱可能に挟持させるようにしてもよい。
【００３５】
図６及び図７は第３の実施形態を示し、図において図１ないし図３と同一符号は同一又は相当部分を示す。本例ではケース１１は長楕円筒状に製作され、ケース１１の両側壁面に嵌込み凹部１１Ｂが形成されており、嵌込み凹部１１Ｂには金属板製の抱持片１２’の両下端が嵌め込まれて抱持片１２’がケース１１に着脱自在に取付けられるようになっている。
【００３６】
図８及び図９は第４の実施形態を示し、図において図１ないし図３と同一符号は同一又は相当部分を示す。本例ではケース１１’は矩形ボックス状をなし、磁石（図示せず）によって照明灯リフレクタ５１に磁着可能に設けられ、ケース１１’の上面にはソーラパネル１３が固定され、又ケース１１’の上面側部にはＬＥＤ灯１４’が取外し可能に装着されており、防犯装置を照明灯リフレクタ５１に取付けたまま、あるいは照明灯リフレクタ５１から取り外して防犯に利用することができる。
【００３７】
なお、第２ないし第４の実施形態において、制御装置３０、異常検知センサー３１及び光センサー３８が設けられる点は第１の実施形態と同様である。
【符号の説明】
【００３８】
１０      ＬＥＤ灯
１１      ケース
１２      アーム片
１２’      抱持片
１３      ソーラパネル
１４      ＬＥＤ
２０      制御回路
２１      スーパーキャパシタ
２２      充電制御回路
３０      制御装置
３１      異常検知センサー
３２      駆動回路
３３      スピーカー
３５      通信回路
３８      フォトセンサー
【図１】
2015173086.tif 000003
【図２】
2015173086.tif 000004
【図３】
2015173086.tif 000005
【図４】
2015173086.tif 000006
【図５】
2015173086.tif 000007
【図６】
2015173086.tif 000008
【図７】
2015173086.tif 000009
【図８】
2015173086.tif 000010
【図９】
2015173086.tif 000011